(57)【要約】【課題】情報処理システムを構成している装置を監視する監視装置の監視対象を適切に管理する。【解決手段】情報処理システム１を構成している一つ以上の装置２０，３０，４０と通信可能に接続する監視装置１０が、装置２０，３０，４０の夫々を、随時監視の対象とする監視対象、リソースに変更があったか否かの判定対象とする準監視対象、監視対象及び準監視対象のいずれでもない監視対象外、のうちのいずれかの監視状態で管理し、監視状態が現在監視対象又は準監視対象に設定されている装置から当該装置のリソース情報を新たに取得し、取得した新たなリソース情報と、前回取得したリソース情報と、判定条件７００とに基づいて、当該装置のリソースに変更があったか否かを決定し、リソースに変更があったと決定した場合に、当該装置の監視状態の変更を促す画面１０００を出力するようにする。【選択図】図２Ａ
2010122971.tif 000002
【特許請求の範囲】
【請求項１】
情報処理システムを構成している装置の監視方法であって、
前記情報処理システムを構成している一つ以上の装置と通信可能に接続する情報処理装置が、
前記装置から当該装置のリソースに関する情報であるリソース情報を取得し、取得したリソース情報に基づき前記装置の稼働状態を随時監視するステップと、
前記装置の夫々を、前記随時監視の対象とする監視対象、前記随時監視の対象とはしないがそのリソースに変更があったか否かの判定対象とする準監視対象、前記監視対象及び前記準監視対象のいずれでもない監視対象外、のうちのいずれかの監視状態で管理するステップと、
前記装置の夫々が現在、前記監視状態のうちのいずれの監視状態であるかを記憶するステップと、
前記装置の夫々から前回取得した前記リソース情報を記憶するステップと、
前記監視状態が現在準監視対象に設定されている前記装置から当該装置の前記リソース情報を新たに取得し、取得した前記新たなリソース情報と、前回取得して記憶している前記リソース情報と、予め記憶している判定条件とに基づいて、当該装置の前記リソースに変更があったか否かを判定するステップと、
前記判定により前記装置のリソースに変更があったと判定した場合に、当該装置の前記監視状態の変更を促す情報を出力するステップと
を実行すること
を特徴とする装置の監視方法。
【請求項２】
請求項１に記載の装置の監視方法であって、
前記監視装置が、
前記監視状態が現在監視対象に設定されている前記装置から当該装置の前記リソース情報を新たに取得し、取得した前記新たなリソース情報と、前回取得して記憶している前記リソース情報と、予め記憶している判定条件とに基づいて、当該装置の前記リソースに変更があったか否かを判定するステップと、
前記判定により前記装置の前記リソースに変更があったと判定した場合に、当該装置の前記監視状態の変更を促す情報を出力するステップと
をさらに実行すること
を特徴とする装置の監視方法。
【請求項３】
請求項１又は２のいずれか一項に記載の装置の監視方法であって、
前記判定条件は、前記装置の構成又は設定に所定の変化があった場合に、前記装置の前記リソースに変更があったと判定する条件であること
を特徴とする装置の監視方法。
【請求項４】
請求項１又は２のいずれか一項に記載の装置の監視方法であって、
前記情報処理システムは、前記装置として、サーバ、前記サーバがデータの入出力を行うストレージ、及び前記サーバと前記ストレージとを通信可能に接続するスイッチを含み、
前記リソース情報は、前記サーバのハードウエア、前記サーバで動作するオペレーティングシステム、前記サーバで動作するアプリケーションソフトウエア、前記サーバの通信インタフェース、前記通信インタフェースの通信ポート、前記スイッチのハードウエア、前記スイッチの通信ポート、前記ストレージの通信ポート、前記ストレージのハードウエア、のうちの少なくともいずれかに関する情報であること
を特徴とする装置の監視方法。
【請求項５】
情報処理システムを構成している装置の監視方法であって、
前記情報処理システムを構成している一つ以上の装置と通信可能に接続する情報処理装置が、
前記装置から当該装置の通信ポートの状態を示す情報であるポート情報を取得し、取得したポート情報に基づき前記装置の前記通信ポートの状態を随時監視するステップと、
前記前記通信ポートの夫々を、前記随時監視の対象とする監視対象、前記随時監視の対象とはしないがその状態に変更があったか否かの判定対象とする準監視対象、前記監視対象及び前記準監視対象のいずれでもない監視対象外、のうちのいずれかの監視状態で管理するステップと、
前記通信ポートの夫々が、現在、前記監視状態のうちのいずれの監視状態であるかを記憶するステップと、
前記通信ポートの夫々から前回取得した前記ポート情報を記憶するステップと、
前記監視状態が現在準監視対象に設定されている前記通信ポートの前記ポート情報を新たに取得し、取得した前記新たなポート情報と、前回取得して記憶している前記リソース情報と、予め記憶している判定条件とに基づいて、当該通信ポートの状態に変更があったか否かを判定するステップと、
前記判定により前記通信ポートの状態に変更があったと判定した場合に、当該通信ポートの前記監視状態の変更を促す情報を出力するステップと
を実行すること
を特徴とする装置の監視方法。
【請求項６】
請求項５に記載の装置の監視方法であって、
前記情報処理装置が、
前記監視状態が現在監視対象に設定されている前記通信ポートの前記ポート情報を新たに取得し、取得した前記新たなポート情報と、前回取得して記憶している前記リソース情報と、予め記憶している判定条件とに基づいて、当該通信ポートの状態に変更があったか否かを判定するステップと、
前記判定により前記装置の前記リソースに変更があったと判定した場合に、当該装置の前記監視状態の変更を促す情報を出力するステップと
をさらに実行すること
を特徴とする装置の監視方法。
【請求項７】
情報処理システムを構成している一つ以上の装置と通信可能に接続する情報処理装置であって、
前記装置から当該装置のリソースに関する情報であるリソース情報を取得し、取得したリソース情報に基づき前記装置の稼働状態を随時監視する監視処理部と、
前記装置の夫々を、前記随時監視の対象とする監視対象、前記随時監視の対象とはしないがそのリソースに変更があったか否かの判定対象とする準監視対象、前記監視対象及び前記準監視対象のいずれでもない監視対象外、のうちのいずれかの監視状態で管理し、前記装置の夫々が現在、前記監視状態のうちのいずれの監視状態であるかを記憶する監視状態記憶部と、
前記装置の夫々から前回取得した前記リソース情報を記憶するリソース情報取得部と、
前記監視状態が現在準監視対象に設定されている前記装置から当該装置の前記リソース情報を新たに取得し、取得した前記新たなリソース情報と、前回取得して記憶している前記リソース情報と、予め記憶している判定条件とに基づいて、当該装置の前記リソースに変更があったか否かを判定するリソース変更有無決定部と、
前記判定により前記装置のリソースに変更があったと判定した場合に、当該装置の前記監視状態の変更を促す情報を出力する監視状態設定部と
を備えることを特徴とする情報処理装置。
【請求項８】
請求項７に記載の情報処理装置であって、
前記リソース変更有無決定部が、前記監視状態が現在監視対象に設定されている前記装置から当該装置の前記リソース情報を新たに取得し、取得した前記新たなリソース情報と、前回取得して記憶している前記リソース情報と、予め記憶している判定条件とに基づいて、当該装置の前記リソースに変更があったか否かを判定し、
前記監視状態設定部が、前記判定により前記装置の前記リソースに変更があったと判定した場合に、当該装置の前記監視状態の変更を促す情報を出力すること
を特徴とする情報処理装置。
【請求項９】
請求項７又は８のいずれか一項に記載の情報処理装置であって、
前記判定条件は、前記装置の構成又は設定に所定の変化があった場合に、前記装置の前記リソースに変更があったと判定する条件であること
を特徴とする情報処理装置。
【請求項１０】
請求項７又は８のいずれか一項に記載の情報処理装置であって、
前記情報処理システムは、前記装置として、サーバ、前記サーバがデータの入出力を行うストレージ、及び前記サーバと前記ストレージとを通信可能に接続するスイッチを含み、
前記リソース情報は、前記サーバのハードウエア、前記サーバで動作するオペレーティングシステム、前記サーバで動作するアプリケーションソフトウエア、前記サーバの通信インタフェース、前記通信インタフェースの通信ポート、前記スイッチのハードウエア、前記スイッチの通信ポート、前記ストレージの通信ポート、前記ストレージのハードウエア、のうちの少なくともいずれかに関する情報であること
を特徴とする情報処理装置。
【請求項１１】
前記情報処理システムを構成している一つ以上の装置と通信可能に接続する情報処理装置であって、
前記装置から当該装置の通信ポートの状態を示す情報であるポート情報を取得し、取得したポート情報に基づき前記装置の前記通信ポートの状態を随時監視する監視処理部と、
前記前記通信ポートの夫々を、前記随時監視の対象とする監視対象、前記随時監視の対象とはしないがその状態に変更があったか否かの判定対象とする準監視対象、前記監視対象及び前記準監視対象のいずれでもない監視対象外、のうちのいずれかの監視状態で管理し、前記通信ポートの夫々が、現在、前記監視状態のうちのいずれの監視状態であるかを記憶する監視状態記憶部と、
前記通信ポートの夫々から前回取得した前記ポート情報を記憶するリソース情報取得部と、
前記監視状態が現在準監視対象に設定されている前記通信ポートの前記ポート情報を新たに取得し、取得した前記新たなポート情報と、前回取得して記憶している前記リソース情報と、予め記憶している判定条件とに基づいて、当該通信ポートの状態に変更があったか否かを判定するリソース変更有無決定部と、
前記判定により前記通信ポートの状態に変更があったと判定した場合に、当該通信ポートの前記監視状態の変更を促す情報を出力する監視状態設定部と
を備えることを特徴とする情報処理装置。
【請求項１２】
請求項１１に記載の情報処理装置であって、
前記リソース変更有無決定部が、前記監視状態が現在監視対象に設定されている前記通信ポートの前記ポート情報を新たに取得し、取得した前記新たなポート情報と、前回取得して記憶している前記リソース情報と、予め記憶している判定条件とに基づいて、当該通信ポートの状態に変更があったか否かを判定し、
前記監視状態設定部が、前記判定により前記装置の前記リソースに変更があったと判定した場合に、当該装置の前記監視状態の変更を促す情報を出力すること
を特徴とする情報処理装置。
【請求項１３】
サーバ、前記サーバがデータの入出力を行うストレージ、及び前記サーバと前記ストレージとを通信可能に接続するスイッチを含むストレージシステムと、前記サーバ、前記ストレージ、及び前記スイッチと通信可能に接続する情報処理装置とを含んで構成される情報処理システムであって、
前記サーバ、前記ストレージ、及び前記スイッチから夫々のリソースに関する情報であるリソース情報を取得し、取得したリソース情報に基づき前記装置の稼働状態を随時監視する監視処理部と、
前記サーバ、前記ストレージ、及び前記スイッチの夫々を、前記随時監視の対象とする監視対象、前記随時監視の対象とはしないがそのリソースに変更があったか否かの判定対象とする準監視対象、前記監視対象及び前記準監視対象のいずれでもない監視対象外、のうちのいずれかの監視状態で管理し、前記サーバ、前記ストレージ、及び前記スイッチの夫々が現在、前記監視状態のうちのいずれの監視状態であるかを記憶する監視状態記憶部と、
前記サーバ、前記ストレージ、及び前記スイッチの夫々から前回取得した前記リソース情報を記憶するリソース情報取得部と、
前記監視状態が現在準監視対象に設定されている前記サーバ、前記ストレージ、及び前記スイッチのうちの少なくともいずれかからその装置の前記リソース情報を新たに取得し、取得した前記新たなリソース情報と、前回取得して記憶している前記リソース情報と、予め記憶している判定条件とに基づいて、当該装置の前記リソースに変更があったか否かを判定するリソース変更有無決定部と、
前記判定により前記装置のリソースに変更があったと判定した場合に、当該装置の前記監視状態の変更を促す情報を出力する監視状態設定部と
を備えることを特徴とする情報処理システム。
【請求項１４】
請求項１３に記載の情報処理システムであって、
前記監視状態が現在監視対象に設定されている前記サーバ、前記ストレージ、及び前記スイッチのうちの少なくともいずれかからその装置の前記リソース情報を新たに取得し、取得した前記新たなリソース情報と、前回取得して記憶している前記リソース情報と、予め記憶している判定条件とに基づいて、当該装置の前記リソースに変更があったか否かを判定するリソース変更有無決定部と、
前記監視状態設定部が、前記判定により前記装置の前記リソースに変更があったと判定した場合に、当該装置の前記監視状態の変更を促す情報を出力すること
を特徴とする情報処理システム。
【発明の詳細な説明】
【技術分野】
【０００１】
本発明は、情報処理システムを構成している装置の監視方法、情報処理装置、及び情報処理システムに関し、とくに情報処理システムを構成している装置を監視する監視装置の監視対象を適切に管理するための技術に関する。
【背景技術】
【０００２】
情報処理システムにおける装置の監視方法として、例えば特許文献１には、監視装置が、被監視装置から送られてきた動作情報を分析して被監視装置の状態を監視するための運用監視ルールと、各被監視装置の構成情報と、運用監視ルールに含まれる判定条件の種別毎に監視設定情報を生成する際に必要になる情報である設定知識とを蓄積し、複数の被監視装置の内の管理者によって指定された特定被監視装置の監視設定情報を生成する際、特定被監視装置の構成情報に基づいて、分析設定蓄積部に蓄積されている運用監視ルールの中から監視設定情報の生成に利用する運用監視ルールを抽出し、抽出した運用監視ルールに対応する監視設定情報を、設定知識蓄積部に蓄積されている設定知識の内の運用監視ルール中の判定条件の種別に対応した設定知識に基づいて生成し、特定被監視装置が、監視設定生成手段で生成された監視設定情報に従って自装置の動作情報を検出して監視装置へ送信することが記載されている。
【特許文献１】特開２００８−３３７２５号公報
【発明の開示】
【発明が解決しようとする課題】
【０００３】
ところで、情報処理システムを構成している個々の装置の稼働状態をこれら装置と通信可能に接続する監視装置によって監視しようとする場合に、全ての装置を監視の対象に設定してしまったのでは監視装置の負荷が増大し、必ずしも監視装置の効率的な利用が図れない。このため、例えば情報処理システムを構成している各装置のうち監視が必要な装置のみを監視するようにする必要がある。しかしこのように特定の装置のみを監視するようにした場合には、情報処理システムの安全性と監視装置の負荷の観点から、構成変更や設定変更等が行われて装置の重要度が変化した場合に、各装置の監視状態を見直して、監視が必要な装置を確実に監視対象とし、監視が不要な装置を監視の対象から外すように、監視装置の監視対象を適切に管理する仕組みが必要となる。
【０００４】
本発明は、このような課題に鑑みてなされたもので、情報処理システムを構成している装置を監視する監視装置の監視対象を適切に管理することが可能な情報処理システムを構成している装置の監視方法、情報処理装置、及び情報処理システムを提供することを目的とする。
【課題を解決するための手段】
【０００５】
上記目的を達成するための本発明のうちの一つは、
情報処理システムを構成している装置の監視方法であって、
前記情報処理システムを構成している一つ以上の装置と通信可能に接続する情報処理装置が、
前記装置から当該装置のリソースに関する情報であるリソース情報を取得し、取得したリソース情報に基づき前記装置の稼働状態を随時監視するステップと、
前記装置の夫々を、前記随時監視の対象とする監視対象、前記随時監視の対象とはしないがそのリソースに変更があったか否かの判定対象とする準監視対象、前記監視対象及び前記準監視対象のいずれでもない監視対象外、のうちのいずれかの監視状態で管理するステップと、
前記装置の夫々が現在、前記監視状態のうちのいずれの監視状態であるかを記憶するステップと、
前記装置の夫々から前回取得した前記リソース情報を記憶するステップと、
前記監視状態が現在準監視対象に設定されている前記装置から当該装置の前記リソース情報を新たに取得し、取得した前記新たなリソース情報と、前回取得して記憶している前記リソース情報と、予め記憶している判定条件とに基づいて、当該装置の前記リソースに変更があったか否かを判定するステップと、
前記判定により前記装置のリソースに変更があったと判定した場合に、当該装置の前記監視状態の変更を促す情報を出力するステップと
を実行することとする。
【０００６】
本発明によれば、準監視対象となっている装置について、リソースの変更があった場合にユーザに当該装置の監視状態を準監視対象から監視対象に変更するか否かを判断する機会が自動的に与えられ、ユーザはリソース変更により当該装置を監視対象とする必要があるにも拘わらず当該装置を準監視対象から監視対象に変更するのを忘れて重大な障害を監視できなくなってしまうのを防ぐことができる。
【０００７】
本発明のうちの他の一つは、上記情報処理装置であって、
前記リソース変更有無決定部が、前記監視状態が現在監視対象に設定されている前記装置から当該装置の前記リソース情報を新たに取得し、取得した前記新たなリソース情報と、前回取得して記憶している前記リソース情報と、予め記憶している判定条件とに基づいて、当該装置の前記リソースに変更があったか否かを判定し、
前記監視状態設定部が、前記判定により前記装置の前記リソースに変更があったと判定した場合に、当該装置の前記監視状態の変更を促す情報を出力することとする。
【０００８】
本発明によれば、監視対象となっている装置について、リソースの変更があった場合にユーザに当該装置の監視状態を監視対象から準監視対象（又は監視対象外）に変更するか否かを判断する機会が自動的に与えられ、ユーザはリソース変更により当該装置を監視対象とする必要がなくなったにも拘わらず当該装置を監視対象から準監視対象（又は監視対象外）に変更するのを忘れて不必要な監視が継続されてしまうのを防ぐことができる。
【０００９】
その他、本願が開示する課題、及びその解決方法は、発明を実施するための最良の形態の欄、及び図面により明らかにされる。
【発明の効果】
【００１０】
本発明によれば、情報処理システムを構成している装置を監視する監視装置の監視対象を適切に管理することができる。
【発明を実施するための最良の形態】
【００１１】
以下、実施の形態について図面とともに詳細に説明する。
【実施例１】
【００１２】
図１Ａに実施例１として説明する情報処理システム１の概略的な構成を示している。同図に示すように、この情報処理システム１は、監視装置１０と、一つ以上のサーバ２０、一つ以上のストレージ３０、及び一つ以上のスイッチ４０を備えている。
【００１３】
サーバ２０、ストレージ３０、及びスイッチ４０によって、サーバ２０がスイッチ４０を介してストレージ３０にアクセスすることによりストレージ３０にデータの入出力を行う、ストレージシステムが構成されている。監視装置１０は、ストレージシステムの稼働状態を監視する。監視装置１０は、ストレージシステムの監視や制御を行うためのユーザインタフェース（ＣＵＩ(Character User Interface)，ＧＵＩ(Graphical User Interface)）を備えている。
【００１４】
サーバ２０は、スイッチ４０を介してストレージ３０と通信可能に接続している。サーバ２０は、例えば図示しない端末装置等の外部装置と通信可能に接続しており、外部装置から受け付けたＩ／Ｏ要求に基づきストレージ３０に格納されているデータにアクセスし、外部装置に各種サービスを提供する。
【００１５】
サーバ２０の通信ポート２１、ストレージ３０の通信ポート３１、及びスイッチの通信ポート４１を結んで構成される通信ネットワークは、例えばＬＡＮ（Local Area Network）、ＳＡＮ（Storage Area Network）、ＷＡＮ（Wide Area Network）、インターネット（Internet）、公衆通信網、専用線等である。
【００１６】
スイッチ４０は、例えばＬＡＮスイッチ（例えば１０ＢＡＳＥ−Ｔ，１００ＢＡＳＥ−Ｔ,１０００ＢＡＳＥ−Ｔ（ＴＸ） に準拠するスイッチングハブ）やファイバーチャネルスイッチ（Fibre Channel Switch）である。監視装置１０は、例えばＬＡＮ、ＷＡＮ、インターネット、公衆通信網、専用線等を介して、サーバ２０、ストレージ３０、及びスイッチ４０と通信する。尚、以下の説明において、とくに断らない限りスイッチ４０はＬＡＮスイッチであるものとする。また監視装置１０の通信ポート１１はスイッチ４０の通信ポート４１に接続され、これにより監視装置１０は、サーバ２０、ストレージ３０、及びスイッチ４０と通信可能に接続されているものとする。また監視装置１０、サーバ２０、ストレージ３０、及びスイッチ４０の間で行われる通信は、ＴＣＰ／ＩＰによって行われるものとする。
【００１７】
図１Ｂに監視装置１０、サーバ２０として利用可能なコンピュータ１００（情報処理装置）のハードウエア構成の一例を示している。同図に示すように、このコンピュータ１００は、ＣＰＵ１１０、メモリ１２０（ＲＡＭ（Random Access Memory）又はＲＯＭ（Read Only Memory））、記憶装置１３０（例えばハードディスク、半導体記憶装置（SSD:Solid State Drive））、ユーザから操作入力を受け付ける入力装置１４０（キーボード、マウス等）、表示装置１５０（液晶モニタ、ブラウン管ディスプレイ等）、他の装置との間で通信を行う通信インタフェース１６０（ＮＩＣ（Network Interface Card、ＨＢＡ（Host Bus Adapter）等）を備えている。
【００１８】
図１Ｃは、ストレージ３０のハードウエアの一例である。ストレージ３０は、例えばディスクアレイ装置である。同図に示すように、このストレージ３０は、ディスクコントローラ３１、キャッシュメモリ３２、通信インタフェース３３、及びディスク装置３４を備えている。通信インタフェース３３は、スイッチ４０を介してサーバ２０又は監視装置１０と通信を行う。ディスクコントローラ３１は、ＣＰＵ及びメモリを備える。ディスクコントローラ３１は、ストレージ３０の機能を実現するための様々な処理を行う。ディスク装置３４は、一台以上のハードディスク３４１（物理ディスク）を備える。キャッシュメモリ３２には、例えばディスク装置３４に書き込まれるデータ、もしくはディスク装置３４から読み出されるデータが格納される。
【００１９】
図１Ｄにスイッチ４０のハードウエア構成の一例を示している。同図に示すように、スイッチ４０は、ＣＰＵ４１、メモリ４２、及び通信制御装置４３を備えている。ＣＰＵ４１は、メモリ４２に格納されているプログラムを実行することにより、例えばスイッチ４０の通信ポート４１とネットワークアドレスの対応関係の管理機能、フィルタリング機能、セキュリティ機能を実現する。メモリ４２は、例えばＲＡＭ、ＲＯＭ、不揮発性メモリ（例えばフラッシュメモリ）である。メモリ４２には、例えば上記各機能を実現するためのプログラム、ネットワークアドレスやポート番号等の送信元と送信先の対応を管理するための各種テーブル、フィルタリング機能やセキュリティ機能に関する設定情報が格納される。通信制御装置４３は、例えばスイッチコントローラであり、各通信ポート４１に入出力されるフレームやパケットの送信元情報と送信先情報に基づき、入出力されるフレームやパケットの通信ポート４１間の転送制御を行う。
【００２０】
図２Ａに、監視装置１０が備える主な機能、及び監視装置１０が管理している主なデータを示している。同図に示すように、監視装置１０は、リソース情報取得部２１１、リソース変更有無決定部２１２、監視状態設定部２１３、及び監視処理部２１４を機能として備えている。尚、これらの機能は、監視装置１０のＣＰＵ１１０が、監視装置１０のメモリ１２０に格納されているプログラムを実行することにより実現される。
【００２１】
監視装置１０は、認証情報３００、検索範囲指定情報３５０、装置管理テーブル４００、リソース基本情報５００、リソース詳細情報６００、及び判定ルールテーブル７００を管理（記憶）している。尚、これらの情報は、例えば監視装置１０において（又は監視装置１０の外部で）稼働するＤＢＭＳ（DataBase Management System）によってデータベースに管理される。
【００２２】
監視装置１０が備える機能のうち、リソース情報取得部２１１は、サーバ２０、ストレージ３０、スイッチ４０から、各装置の稼働監視に用いられる情報（以下、リソース情報と称する。）を取得し、取得した情報をリソース基本情報５００又はリソース詳細情報６００として管理（記憶）する。
【００２３】
リソース変更有無決定部２１２は、リソース情報取得部２１１によって取得された情報に基づき、サーバ２０、ストレージ３０、又はスイッチ４０のリソースに変更があったか否かを決定する。
【００２４】
監視状態設定部２１３は、リソース変更有無決定部２１２の処理の結果、新規に発見された装置や構成変更があった装置について、それらを監視対象とするか否かの判定をユーザに促し、それらの装置についての監視対象要否の設定を行う。
【００２５】
監視処理部２１４は、装置管理テーブル４００の監視状態４０３の内容に従って、サーバ２０、ストレージ３０、及びスイッチ４０の稼働状態の監視を行う。
【００２６】
尚、リソース情報取得部２１１、リソース変更有無決定部２１２、監視状態設定部２１３、及び監視処理部２１４の各機能の詳細については後述する。
【００２７】
図２Ｂ〜図２Ｄは、夫々、ストレージシステムの監視のためにサーバ２０、ストレージ３０、及びスイッチ４０が備える主な機能を示す図である。
【００２８】
図２Ｂに示すように、サーバ２０は、サーバ情報提供部２７１を備える。サーバ情報提供部２７１は、自身のリソース情報を監視装置１０に送信する。図２Ｃに示すように、ストレージ３０は、ストレージ情報提供部２８１を備える。ストレージ情報提供部２８１は、自身のリソース情報を監視装置１０に送信する。図２Ｄに示すように、スイッチ４０は、スイッチ情報提供部２９１を備え。スイッチ情報提供部２９１は、自身のリソース情報を監視装置１０に送信する。
【００２９】
尚、監視装置１０のリソース情報取得部２１１と、監視装置１０のリソース情報取得部２１１、サーバ２０のサーバ情報提供部２７１、ストレージ３０のストレージ情報提供部２８１、及びスイッチ４０のスイッチ情報提供部２９１の夫々との間で行われるリソース情報の収集の仕組みは、例えばＳＮＭＰ（Simple Network Management Protocol）によって実現される。この場合、監視装置１０のリソース情報取得部２１１は、ＳＮＭＰマネージャとして機能し、サーバ２０のサーバ情報提供部２７１、ストレージ３０のストレージ情報提供部２８１、スイッチ４０のスイッチ情報提供部２９１は、ＳＮＭＰエージェントとして機能する。尚、上記仕組みは、例えばＷＭＩ（Microsoft （登録商標）Windows（登録商標） Management Instrumentation ）、ＷＢＥＭ（Web-Based Enterprise Management）、ＳＳＨ（Secure Shell）、ＳＭＩ−Ｓ（Storage Management Initiative - Specification）等を用いて実現してもよい。
【００３０】
図３Ａは、監視装置１０が管理するテーブルの一つである認証情報３００の一例である。認証情報３００には、監視装置１０のリソース情報取得部２１１がリソース情報を取得する際に用いる認証情報が管理される。認証情報３００の内容は、例えばユーザが監視装置１０のユーザインタフェース（入力装置１４０、表示装置１５０）を操作して設定する。
【００３１】
同図に示すように、認証情報３００は、ユーザＩＤ３０１、パスワード３０２、及びプロトコル３０３の各項目を有する複数のレコードで構成される。プロトコル３０３には、対応するユーザＩＤ及びパスワードを用いてリソース情報を取得する際に用いられるプロトコルを示す情報が格納される。
【００３２】
図３Ｂは、監視装置１０が管理するテーブルの一つである検索範囲指定情報３５０の一例である。検索範囲指定情報３５０には、監視装置１０のリソース情報取得部２１１がリソース情報を取得する際の取得先を特定する情報（例えばネットワークアドレス、ホスト名等の識別子）が格納される。この検索範囲指定情報３５０にはＩＰアドレスによって検索範囲が指定されている。同図に示すように、この検索範囲指定情報３５０は、先頭ＩＰアドレス３５１、最終ＩＰアドレス３５２の各項目を有する複数のレコードで構成される。監視装置１０のリソース情報取得部２１１は、各レコードの先頭ＩＰアドレス３５１から最終ＩＰアドレス３５２の範囲の各ＩＰアドレスを有する機器に対してリソース情報の取得を試みる。検索範囲指定情報３５０の内容は、例えばユーザが監視装置１０のユーザインタフェース（入力装置１４０、表示装置１５０）を操作して設定する。
【００３３】
図４は、監視装置１０が管理するテーブルの一つである装置管理テーブル４００（監視状態記憶部）の一例である。装置管理テーブル４００には監視装置１０のリソース情報取得部２１１によってリソース情報を取得することができた各装置（サーバ２０、ストレージ３０、及びスイッチ４０）に関する情報が管理される。装置管理テーブル４００の内容は、リソース情報取得部２１１、リソース変更有無決定部２１２、又は監視状態設定部２１３によって管理(更新）される。同図に示すように、装置管理テーブル４００は、識別ＩＤ４０１、装置種別４０２、監視状態４０３、構成変更有無４０４、及びＩＰアドレス４０５の各項目を有する複数のレコードで構成される。このうち識別ＩＤ４０１には、各装置の識別子が格納される。装置種別４０２には、装置の種別が格納される。同図の場合、該当の装置がサーバ２０であれば「Server」が、ストレージ３０であれば「Storage」が、スイッチ４０であれば「Switch」が格納される。
【００３４】
監視状態４０３には、該当の装置の現在の監視状態が格納される。即ち該当の装置が現在監視対象に設定されていれば「監視対象」が、現在監視対象に設定されていなければ「監視対象外」が、該当の装置が現在準監視対象に設定されている場合には「準監視対象」が未だ監視対象又は準監視対象のいずれの設定もされていない場合には「未設定」が格納される。構成変更有無４０４には、後述する処理により監視装置１０のリソース変更有無決定部２１２が該当の装置の構成に変更があったと決定した場合に「変更あり」が設定される。ＩＰアドレス４０５には該当の装置に現在設定されているＩＰアドレス(ネットワークアドレス）が格納される。
【００３５】
図５Ａ、図５Ｂは、監視装置１０が取得したリソース情報を管理するテーブルの一つであるリソース基本情報５００の一例である。リソース基本情報５００の内容は、リソース情報取得部２１１によって管理（更新）される。リソース基本情報５００には、監視装置１０のリソース情報取得部２１１が、サーバ２０、ストレージ３０、又はスイッチ４０からリソース情報として取得した情報のうち、基本的な情報が格納される。図５Ａはリソース情報取得部２１１がサーバ２０から取得したリソース基本情報５００の一例であり、図５Ｂはスイッチ４０から取得したリソース基本情報５００の一例である。
【００３６】
図５Ａ又は図５Ｂに示すように、リソース基本情報５００は、項目５０１、前回取得値５０２、今回取得値５０３、変更有無５０４の各項目を有する複数のレコードで構成される。このうち項目５０１には、リソース基本情報を構成する項目名が格納される。前回取得値５０２には、該当項目についてリソース情報取得部２１１が前回の取得時に取得したリソース基本情報が格納される。今回取得値５０３には、該当項目についてリソース情報取得部２１１が今回の取得時に取得したリソース基本情報が格納される。変更有無５０４には、該当項目について前回取得値５０２の内容と今回取得値５０３の内容に変更があれば「有」が、変更が無ければ「無」が設定される。
【００３７】
図６は監視装置１０が取得したリソース情報を管理するテーブルの一つであるリソース詳細情報６００の一例である。リソース詳細情報６００の内容は、リソース情報取得部２１１によって管理（更新）される。リソース詳細情報６００には、監視装置１０のリソース情報取得部２１１が、サーバ２０、ストレージ３０、又はスイッチ４０からリソース情報として取得した情報のうち詳細な情報が格納される。尚、同図はリソース情報取得部２１１がサーバ２０から取得したリソース基本情報５００である。
【００３８】
同図に示すように、リソース詳細情報６００は、項目６０１、値６０２、状態値６０３、及び性能値６０４の各項目を有する複数のレコードで構成される。このうち項目６０１には、リソース詳細情報の項目が格納される。値６０２には、該当項目に対応する値が格納される。例えば項目６０１の内容が「ＣＰＵ」である場合にはその型番や動作クロックが、項目６０１の内容が「メモリ」である場合にはその記憶容量が、項目６０１の内容が「メモリ」である場合にはその記憶容量が、項目６０１の内容が「ディスクドライブ」である場合にはその記憶容量が格納される。状態値６０３には、該当項目の動作状態を示す情報が格納される。同図では「正常」又は「異常」が格納されている。性能値６０４には、該当項目の性能を示す情報が格納される。同図では、「メモリ」の性能を示す情報として「５１２Ｍ」が、ディスクドライブの性能を示す情報として「３Ｇ」が格納されている。
【００３９】
尚、リソース情報は、図５Ａ、図５Ｂ、図６に示した情報以外の情報であってもよい。例えばスイッチ４０のハードウエア、スイッチの通信ポート、ストレージハードウエア等に関する情報であってもよい。
【００４０】
図７は監視装置１０が管理するテーブルの一つである判定ルールテーブル７００の一例である。判定ルールテーブル７００には、リソース変更有無決定部２１２が、装置（サーバ２０、ストレージ３０、又はスイッチ４０）の構成に変更があったか否かを決定する際の判定条件が管理される。判定ルールテーブル７００の内容は、例えばユーザが監視装置１０のユーザインタフェース（入力装置１４０、表示装置１５０）を操作して設定する。
【００４１】
同図に示すように、判定ルールテーブル７００は、監視状態７０１、機器種別７０２、比較する情報種別７０３、及び判定条件７０４の各項目を有する複数のレコードで構成される。監視状態７０１には、当該レコードに規定される判定条件の適用対象となる監視状態７０１が格納される。例えば監視状態７０１に「準監視対象」が格納されている場合、当該レコードに規定される判定条件は現在「準監視対象」に設定されている装置（装置管理テーブル４００の監視状態４０３に現在「準監視対象」が格納されている装置）に適用される。また監視状態７０１に「監視対象」が格納されている場合、当該レコードに規定される判定条件は現在「監視対象」に設定されている装置（装置管理テーブル４００の監視状態４０３に現在「監視対象」が格納されている装置）に適用される。
【００４２】
機器種別７０２には、判定条件の適用対象となる機器の種別が格納される。例えば機器種別７０２に「ＩＰ機器」が格納されている場合、当該レコードに規定される判定条件はＴＣＰ／ＩＰで通信を行う全ての装置に適用される。また例えば機器種別７０２に「ＸＸＸＯＳのコンピュータ」が格納されている場合、当該レコードに規定される判定条件は「ＸＸＸＯＳ」が動作する全ての装置に適用される。
【００４３】
比較する情報種別７０３には、判定条件を適用する際の判定対象となる情報が格納される。例えば比較する情報種別７０３に「ＩＰアドレス」が格納されている場合、当該レコードに規定される判定条件はＩＰアドレスを対象として判定される。また例えば比較する情報種別７０３に「ＯＳ種別」が格納されている場合、当該レコードに規定される判定条件はＯＳの種類を対象として判定される。
【００４４】
判定条件７０４には、リソース変更有無決定部２１２が、装置（サーバ２０、ストレージ３０、又はスイッチ４０）の構成に変更があったか否かを決定する際の判定条件が格納される。
【００４５】
＝処理説明＝
次に監視装置１０によって行われる処理について図面とともに詳述する。尚、以下の説明において、符号の前に付した「Ｓ」の文字はステップを意味する。
【００４６】
＜リソース変更有無決定処理＞
図８は監視装置１０のリソース情報取得部２１１とリソース変更有無決定部２１２によって行われる処理（以下、リソース変更有無決定処理Ｓ８００）を説明するフローチャートである。リソース変更有無決定処理Ｓ８００は、例えば予めスケジュールされた時刻が到来すると実行される。またリソース変更有無決定処理Ｓ８００は、ユーザの起動操作に応じて起動される。以下、同図とともにリソース変更有無決定処理Ｓ８００について説明する。
【００４７】
まずリソース情報取得部２１１は、認証情報３００及び検索範囲指定情報３５０の内容を取得する（Ｓ８１１）。
【００４８】
次にリソース情報取得部２１１は、取得した検索範囲指定情報３５０に指定される検索範囲から検索対象を一つ選択する。例えば検索範囲指定情報３５０が図３Ａに示す内容である場合、リソース情報取得部２１１は、先頭ＩＰアドレス３５１から最終ＩＰアドレス３５２の範囲（10.210.80.1〜10.210.80.200，10.192.63.1〜10.192.63.250）に含まれるＩＰアドレスを一つ選択する（Ｓ８１２）。
【００４９】
次にリソース情報取得部２１１は、Ｓ８１２で選択した検索対象にアクセスしてリソース情報を取得し、取得したリソース情報の内容をリソース基本情報５００の今回取得値５０３に反映する（Ｓ８１３）。
【００５０】
次にリソース変更有無決定部２１２は、Ｓ８１２で選択した検索対象の装置についての情報が既に装置管理テーブル４００に存在するか否かを判定する（Ｓ８１４）。この判定は、例えば検索対象の装置の識別ＩＤ（当該装置のＩＰアドレス又はホスト名等）が装置管理テーブル４００の識別ＩＤ４０１に存在するか否かを調べることにより行われる。存在すれば（Ｓ８１４：存在）、Ｓ８１５に進み、存在しなければ（Ｓ８１４：存在せず）、Ｓ８２１に進む。
【００５１】
Ｓ８１５では、リソース変更有無決定部２１２は、当該検索対象の装置管理テーブル４００の監視状態４０３の内容を判定する。監視状態４０３の内容が「監視対象」又は「準監視対象」である場合（Ｓ８１５：監視対象ｏｒ準監視対象）は、Ｓ８１６に進む。監視状態４０３の内容が「監視対象外」である場合（Ｓ８１５：監視対象外）は、Ｓ８１９に進む。
【００５２】
Ｓ８１６では、リソース変更有無決定部２１２は、リソース基本情報５００と判定ルールテーブル７００とを対照し、リソースに変更があったか否かを決定する。リソース変更有無決定部２１２がリソースの変更があったと判定した場合（Ｓ８１７：変更あり）は、Ｓ８１８に進む。リソース変更有無決定部２１２がリソースの変更がなかったと判定した場合（Ｓ８１７：変更なし）は、Ｓ８１９に進む。
【００５３】
Ｓ８１８では、リソース変更有無決定部２１２は、当該検索対象の装置管理テーブル４００の構成変更有無４０４に「変更あり」を格納する。その後はＳ８１９に進む。
【００５４】
Ｓ８２１では、リソース変更有無決定部２１２は、当該検索対象の装置管理テーブル４００の監視状態４０３に「未設定」を格納する。その後はＳ８１９に進む。
【００５５】
Ｓ８１９では、リソース情報取得部２１１は、Ｓ８１１で取得した検索範囲指定情報で指定される検索対象を全て選択済か否かを判定する。全ての検索対象を選択済であれば（Ｓ８１９：ＹＥＳ）、処理が終了する。未選択の検索対象が存在すれば（Ｓ８１９：ＮＯ）、Ｓ８１２に戻って次の検索対象を選択し、以上と同様の処理を繰り返す。
【００５６】
以上に説明したリソース変更有無決定処理Ｓ８００が実行されることにより、装置管理テーブル４００の監視状態４０３及び構成変更有無４０４に、ストレージシステムの最新の状態に対応した内容が格納される。
【００５７】
＜監視対象設定処理＞
図９は監視装置１０の監視状態設定部２１３によって行われる処理（以下、監視状態設定処理Ｓ９００）を説明するフローチャートである。監視状態設定処理Ｓ９００は、原則としてリソース変更有無決定処理Ｓ８００が実行された直後に自動的にもしくはユーザ等の起動操作によって実行される。以下、同図とともに監視状態設定処理Ｓ９００について説明する。
【００５８】
まず監視状態設定部２１３は、装置管理テーブル４００から、監視対象判別に「未設定」又は「変更あり」が格納されているレコードを抽出する（Ｓ９１１）。
【００５９】
次に監視状態設定部２１３は、Ｓ９１１で抽出したレコードの内容を記載した設定画面（以下、監視対象設定画面１０００と称する。）を表示装置１５０に表示して、ユーザに各装置の監視状態の設定を促す（Ｓ９１２）。このときに表示される監視対象設定画面１０００の一例を図１０に示している。同図に示すように、この監視対象設定画面１０００には、ＩＰアドレス１００１、装置名称１００２、監視状態１００３、監視状態選択ボタン１００４、構成変更１００５、詳細表示ボタン１００６、及び変更指針１００７が含まれる。
【００６０】
このうちＩＰアドレス１００１には、装置管理テーブル４００のＩＰアドレス４０５の内容が表示される。装置種別１００２には、装置管理テーブル４００の装置種別４０２の内容が表示される。監視状態１００３には、装置管理テーブル４００の監視状態４０３の内容がデフォルト表示される。監視状態選択ボタン１００４を選択すると、デフォルト表示されている監視状態１００３の内容を変更（監視対象、準監視対象、又は監視対象外）することができる。構成変更１００５には、装置管理テーブル４００の構成変更有無４０４の内容が「変更あり」であった場合に、該当装置において変更された構成の変更内容が表示される。詳細表示ボタン１００６を選択すると、構成変更１００５の内容に対応する詳細情報が表示される。
【００６１】
変更指針１００７には、監視状態１００３の変更指針が表示される。例えば構成変更の内容が準監視対象を監視対象に変更すべき内容であった場合には、「監視対象に変更要」といった内容が表示される。また構成変更の内容が監視対象を準監視対象に変更すべき内容であった場合には、「準監視対象に変更要」といった内容が表示される。監視装置１０は、装置種別及び構成変更の態様に対応づけて変更指針１００７の表示内容を記憶したテーブルを管理（記憶）している。監視状態設定部２１３は、上記テーブルを参照して変更指針１００７に表示すべき内容を決定し、決定した内容を変更指針１００７に表示する。尚、上記テーブルはユーザ等が監視装置１０のユーザインタフェース（入力装置１４０、表示装置１５０）を操作して設定することができる。
【００６２】
監視状態設定部２１３は、監視対象設定画面１０００の設定ボタン１０１１が選択されたか否かをリアルタイムに監視している（Ｓ９１３）。設定ボタン１０１１が選択されると（Ｓ９１３：ＹＥＳ）、Ｓ９１４に進む。
【００６３】
Ｓ９１４では、監視状態設定部２１３は、監視対象設定画面１０００の監視状態１００３に設定された内容を、装置管理テーブル４００の監視状態４０３に反映し、処理が終了する。
【００６４】
ところで、監視装置１０の監視処理部２１４は、以上のようにして設定された装置管理テーブル４００の監視状態４０３の内容が「監視対象」である装置（サーバ２０、ストレージ３０、又はスイッチ４０）について、必要な監視処理を適時（予めスケジュールされた日時等）に実行する。例えば監視処理部２１４は、該当装置の機器構成情報、性能情報、状態情報、各種ログ(イベント、セキュリティログなど)を適宜取得し、装置が異常な状態になっていないか稼動状態を適時に監視する。
【００６５】
以上に説明したように、本実施形態の監視装置１０によれば、現在、準監視対象となっている装置について、適宜リソース変更の有無が判定され（Ｓ８１６）、リソース変更があったと判定された場合（Ｓ８１７：変更あり）は、ユーザに当該装置の監視状態の設定を促す（Ｓ９１２）。これにより、準監視対象となっている装置について、リソース(構成）の変更があった場合にユーザに当該装置の監視状態を準監視対象から監視対象に変更するか否かを判断する機会が自動的に与えられ、ユーザはリソース変更により当該装置を監視対象とする必要があるにも拘わらず当該装置を準監視対象から監視対象に変更するのを忘れて重大な障害を監視できなくなってしまうのを防ぐことができる。
【００６６】
また現在、監視対象となっている装置についても適宜リソース変更の有無が判定され（Ｓ８１６）、リソース変更があったと判定された場合（Ｓ８１７：変更あり）は、ユーザに当該装置の監視状態の設定を促す（Ｓ９１２）。これにより、監視対象となっている装置について、リソース(構成）の変更があった場合にユーザに当該装置の監視状態を監視対象から準監視対象（又は監視対象外）に変更するか否かを判断する機会が自動的に与えられ、ユーザはリソース変更により当該装置を監視対象とする必要がなくなったにも拘わらず当該装置を監視対象から準監視対象（又は監視対象外）に変更するのを忘れて不必要な監視が継続されてしまうのを防ぐことができる。
【実施例２】
【００６７】
実施例１では、監視装置１０が装置（サーバ２０、ストレージ３０、及びスイッチ４０）を単位として監視状態を管理する構成について説明したが、監視装置１０が通信ポートを単位として実施例１と同様の方法により各通信ポートの監視状態を管理するようにすることもできる。
【００６８】
図１１は監視装置１０が通信ポートを単位として各通信ポートの監視状態を管理する場合（以下、「この場合」という。）における装置管理テーブル（監視状態記憶部）の一例である。同図に示すように、この装置管理テーブル４５０は、装置ＩＤ４５１、装置種別４５２、ＩＰアドレス４５３、ポート番号４５４、監視状態４５５、構成変更有無４５６の各項目を備える一つ以上のレコードで構成される。図４に示した装置管理テーブル４００と異なり、この装置管理テーブル４５０には、ポート番号４５４ごとの監視状態４５５及び構成変更有無４５６が管理される。
【００６９】
図１２はこの場合におけるリソース基本情報（ポート情報）の一例である。同図に示すように、このリソース基本情報５５０は、図５Ａ又は図５Ｂに示したリソース基本情報５００と同様の項目からなる複数のレコードで構成される。同図に示すように、このリソース基本情報５５０には、通信ポートごとの前回取得値５５２（ポートの状態）、今回取得値５５３（ポートの状態）、及び変更有無５５４が格納されている。
【００７０】
図１３はこの場合における判定ルールテーブルの一例である。同図に示すように、この判定ルールテーブル７５０は、図７に示した判定ルールテーブル７００と同様の項目からなる複数のレコードで構成される。
【００７１】
前述した実施例１において、例えば、図４の装置管理テーブル４００に代えて図１１の装置管理テーブル４５０を用い、図５Ａ又は図５Ｂのリソース基本情報５００に代えて図１２のリソース基本情報５５０を用い、図７の判定ルールテーブル７００に代えて図１３の判定ルールテーブル７５０を用いて図８に示したリソース変更有無決定処理Ｓ８００、及び図９に示した監視対象設定処理Ｓ９００を実行することにより、監視装置１０が通信ポートを単位として各通信ポートの監視状態を管理することができ、実施例１と同様の効果を得ることができる。
【００７２】
即ち、例えば監視対象外に設定されていた通信ポートの使用を開始した場合には、ユーザに当該通信ポートの監視状態を監視対象に変更するか否かを判断する機会が自動的に与えられ、これによりユーザは当該通信ポートを監視対象とする必要があるにも拘わらず監視対象に変更するのを忘れて重大な障害を監視できなくなってしまうのを防ぐことができる。
【００７３】
また監視対象となっている通信ポートについて、ユーザに当該通信ポートを準監視対象（又は監視対象外）に変更するか否かを判断する機会が自動的に与えられ、ユーザは監視対象とする必要がなくなったにも拘わらず監視対象から準監視対象（又は監視対象外）に変更するのを忘れて不必要な監視が継続されてしまうのを防ぐことができる。
【００７４】
ところで、以上の実施形態の説明は、本発明の理解を容易にするためのものであり、本発明を限定するものではない。本発明はその趣旨を逸脱することなく、変更、改良され得ると共に本発明にはその等価物が含まれることは勿論である。
【図面の簡単な説明】
【００７５】
【図１Ａ】実施例１として説明する情報処理システム１の概略的な構成を示す図である。
【図１Ｂ】監視装置１０、サーバ２０として利用可能なコンピュータ１００（情報処理装置）のハードウエア構成の一例を示す図である。
【図１Ｃ】ストレージ３０のハードウエアの一例を示す図である。
【図１Ｄ】スイッチ４０のハードウエア構成の一例を示す図である。
【図２Ａ】監視装置１０が備える主な機能、及び監視装置１０が管理している主なデータを示す図である。
【図２Ｂ】サーバ２０が備える主な機能を示す図である。
【図２Ｃ】ストレージ３０が備える主な機能を示す図である。
【図２Ｄ】スイッチ４０が備える主な機能を示す図である。
【図３Ａ】認証情報３００の一例を示す図である。
【図３Ｂ】検索範囲指定情報３５０の一例を示す図である。
【図４】装置管理テーブル４００の一例を示す図である。
【図５Ａ】リソース基本情報５００の一例を示す図である。
【図５Ｂ】リソース基本情報５００の一例を示す図である。
【図６】リソース詳細情報６００の一例を示す図である。
【図７】判定ルールテーブル７００の一例を示す図である。
【図８】リソース変更有無決定処理Ｓ８００を説明するフローチャートである。
【図９】監視状態設定処理Ｓ９００を説明するフローチャートである。
【図１０】監視対象設定画面１０００の一例である。
【図１１】装置管理テーブル４５０の一例を示す図である。
【図１２】リソース基本情報５５０の一例を示す図である。
【図１３】判定ルールテーブル７５０の一例を示す図である。
【符号の説明】
【００７６】
１  情報処理システム
１０  監視装置
２０  サーバ
３０  ストレージ
４０  スイッチ
２１１  リソース情報取得部
２１２  リソース変更有無決定部
２１３  監視状態設定部
２１４  監視処理部
２７１  サーバ情報提供部
２８１  ストレージ情報提供部
２９１  スイッチ情報提供部
３００  認証情報
３５０  検索範囲指定情報
４００  装置管理テーブル
５００  リソース基本情報
６００  リソース詳細情報
７００  判定ルールテーブル
１０００  監視対象設定画面
【図１Ａ】
2010122971.tif 000003
【図１Ｂ】
2010122971.tif 000004
【図１Ｃ】
2010122971.tif 000005
【図１Ｄ】
2010122971.tif 000006
【図２Ａ】
2010122971.tif 000007
【図２Ｂ】
2010122971.tif 000008
【図２Ｃ】
2010122971.tif 000009
【図２Ｄ】
2010122971.tif 000010
【図３Ａ】
2010122971.tif 000011
【図３Ｂ】
2010122971.tif 000012
【図４】
2010122971.tif 000013
【図５Ａ】
2010122971.tif 000014
【図５Ｂ】
2010122971.tif 000015
【図６】
2010122971.tif 000016
【図７】
2010122971.tif 000017
【図８】
2010122971.tif 000018
【図９】
2010122971.tif 000019
【図１０】
2010122971.tif 000020
【図１１】
2010122971.tif 000021
【図１２】
2010122971.tif 000022
【図１３】
2010122971.tif 000023